(57)【要約】【課題】常に排気に見合う給気を得ることができ、換気効率を維持できる浴室乾燥暖房機を実現する。【解決手段】壁１６を挟んで浴室内に配設される暖房装置１２と、浴室外に配設される換気装置１４とを備えている。壁１６に設けられた換気口３４は仕切り板２０によって上側の給気通路４４と下側の排気通路２８とに分離されている。給気通路４４には浴室側に回動するダンパ４２が配設されている。換気ファンモータ２６によって換気ファン２４が駆動されると、浴室内の空気は暖房装置１２と壁面１６ａとの隙間１８から排気通路２８へ導入されて浴室外へ排気される。排気によって浴室内が負圧になると、ダンパ４２が浴室側へ引かれるために給気通路４４が開き、浴室外の空気が浴室内へ給気される。負圧が解消されるとダンパ４２が自重によって閉じるために給気通路４４が閉じる。【選択図】　図１
2004144322.tif 000002
【特許請求の範囲】
【請求項１】
浴室内に設置される暖房装置と、
浴室の壁を貫通し、浴室内の空気を浴室外に排気するための排気通路と、
暖房装置とは独立しており、排気通路の浴室外側の開口を覆って設置され、浴室内を換気する換気装置と、
排気通路と併行して浴室の壁を貫通し、浴室外の空気を浴室内に給気するための給気通路とを備えたことを特徴とする浴室乾燥暖房機。
【請求項２】
前記排気通路と前記給気通路は、浴室の壁を貫通する１個の穴に形成されており、排気通路と給気通路とは仕切り板によって仕切られていることを特徴とする請求項１に記載の浴室乾燥暖房機。
【請求項３】
前記排気通路と前記給気通路は、暖房装置の後方の壁を貫通する１個の穴に形成されており、前記仕切り板の浴室内側の端部は暖房装置の背面に当接していることを特徴とする請求項２に記載の浴室乾燥暖房機。
【請求項４】
前記給気通路にダンパが配設されており、このダンパは、換気装置が運転しているときに開かれ、換気装置が停止しているときに閉じられることを特徴とする請求項１から３の何れかに記載の浴室乾燥暖房機。
【請求項５】
前記ダンパは鉛直に配設されており、ダンパの上部に回動軸が設けられており、浴室内が負圧となったときにダンパの下部が浴室内側へ開かれることを特徴とする請求項４に記載の浴室乾燥暖房機。
【請求項６】
前記ダンパの開閉を行なうダンパモータを備えており、このダンパモータは、換気装置が運転しているときにダンパを開くように駆動し、換気装置が停止しているときにダンパを閉じるように駆動することを特徴とする請求項４に記載の浴室乾燥暖房機。
【発明の詳細な説明】
【０００１】
【発明の属する技術分野】本発明は、浴室乾燥暖房機に関し、詳しくは、浴室内の換気を効率よく行なう技術に関する。
【０００２】
【従来の技術】浴室内に設置される浴室乾燥暖房機は、温水を熱媒として浴室内の空気を温める暖房機能を備えている。この暖房機能は暖房運転や乾燥運転を行なうときに用いる。また、この浴室乾燥暖房機は浴室内の空気を浴室外に排気する換気機能も備えている。この換気機能は換気運転や乾燥運転を行なうときに用いる。即ち、乾燥運転時には暖房機能と換気機能が併用される。
従来の浴室乾燥暖房機のうち、浴室内の側壁に取付ける壁掛け式のものには、暖房装置と換気装置が独立しているものがある（特許文献１参照）。このタイプの浴室乾燥暖房機は、浴室の側壁に換気口を設け、この換気口の浴室内側の開口を覆うように暖房装置が取付けられ、換気口の浴室外側の開口を覆うように換気装置が取付けられる。換気装置が運転すると、暖房装置とこの後方の壁面との隙間から浴室内の空気が吸気される。そして、吸気された浴室内の空気は換気口を通って浴室外に排気される。
【０００３】
【特許文献１】
特許第３１３１４２７号公報
【０００４】
【発明が解決しようとする課題】上記の従来の浴室乾燥暖房機によって換気運転や乾燥運転等を行ない続けると、給気口が設けられていない浴室では、やがて浴室内が負圧となって換気の効率が低下する。いくら換気装置の能力を大きくしても、排気に見合うだけの給気が得られなければ換気効率を維持することはできない。このため、換気運転や乾燥運転等の実際の所用時間が実験値に比べて長時間となってしまう。
そこで、本発明の浴室乾燥暖房機では、常に排気に見合う給気を得ることができ、換気効率を維持できる技術を提供することを目的とする。
【０００５】
【課題を解決するための手段と作用と効果】本発明の浴室乾燥暖房機は、浴室内に設置される暖房装置と、浴室の壁を貫通して浴室内の空気を浴室外に排気するための排気通路と、暖房装置とは独立しており、排気通路の浴室外側の開口を覆って設置されて浴室内を換気する換気装置と、排気通路と併行して浴室の壁を貫通して浴室外の空気を浴室内に給気するための給気通路とを備えている。
この浴室乾燥暖房機は、換気用の通路として、排気通路とともに給気通路を備えている。この構成によれば、換気装置が運転すると、給気通路から浴室外の空気が給気される。たとえ給気口が配設されていない浴室であっても、給気通路から排気に見合った給気を充分に得ることができるため、浴室内が負圧になることなく排気することができる。従って、換気装置を継続的に運転させても換気効率を維持し続けることができる。
【０００６】
この浴室乾燥暖房機の排気通路と給気通路は、浴室の壁を貫通する１個の穴に形成されており、排気通路と給気通路とは仕切り板によって仕切られていることが好ましい。
この浴室乾燥暖房機では、仕切り板によって排気通路と給気通路とが互いに独立している。このような構成にすれば、壁に排気通路用の穴と給気通路用の穴を２つ設けるよりも取付け工事が非常に容易となる。
【０００７】
この浴室乾燥暖房機の排気通路と給気通路は、暖房装置の後方の壁を貫通する１個の穴に形成されており、前記仕切り板の浴室内側の端部は暖房装置の背面に当接していることが好ましい。
換気装置を運転させたとき、もし、給気通路から給気された空気が直ちに排気通路から排気されてしまうと、浴室内の空気の排気が妨げられてしまう。しかし、この浴室乾燥暖房機では、排気通路と給気通路が暖房装置の後方に設けられており、排気通路と給気通路とを仕切る仕切り板の浴室内側の端部が暖房装置の背面に当接している。このような構成にすれば、給気通路から給気された浴室外の空気が直ちに排気通路へ導入されて排気されることや、あるいは、排気されるべく暖房装置の後方に導入された浴室内の空気が、給気通路から給気された浴室外の空気とともに再び浴室内へ戻されてしまうことを防止することができるため、浴室内の空気を積極的に排気することができる。また、排気通路や給気通路が暖房装置の後方に隠れるため、美観が損なわれない。
【０００８】
この浴室乾燥暖房機の給気通路に、ダンパが配設されており、このダンパは換気装置が運転しているときに開かれ、換気装置が停止しているときに閉じられることが好ましい。
この構成によれば、換気装置の運転時（換気運転中や乾燥運転中等）にはダンパが開いて給気通路が開通し、浴室外の空気が給気される。従って、換気装置の運転時に浴室内が負圧にならず、換気効率を維持することができる。一方、換気装置の運転停止時（暖房運転中等）にはダンパが閉じて給気通路が閉じられ、給気は行なわれない。また、給気通路が閉じられているため、暖房運転によって暖められた浴室内の空気が給気通路から浴室外に漏れず、暖房運転の効率を維持することができる。
【０００９】
この浴室乾燥暖房機のダンパは鉛直に配設されており、ダンパの上部に回動軸が設けられており、浴室内が負圧となったときにダンパの下部が浴室内側へ開かれるようになっていてもよい。
この構成によれば、換気装置が運転して浴室内が負圧となると、ダンパは固定されていない下部が浴室内側に引っ張られるため、ダンパは上部の回動軸で浴室内側へ回動して給気通路を開く。これによって、浴室内の負圧が解消されるまで給気通路が開かれて給気される。また、換気装置が運転停止して浴室内の負圧が解消されると、ダンパは自重によって浴室外側へ回動して給気通路を閉じる。即ち、このダンパを給気通路に配設することによって、換気装置が運転して浴室内が負圧になったときにだけ給気通路が開通して給気され、それ以外のとき（暖房運転時等）には給気通路が閉じられて給気されない。このようなシンプルな構成のダンパを給気通路に配設することによって、給気通路の開閉を安価に、且つ適切に行なうことができ、換気効率や暖房効率を維持することができる。
【００１０】
あるいは、この浴室乾燥暖房機は、ダンパの開閉を行なうダンパモータを備えており、このダンパモータは、換気装置が運転しているときにダンパを開くように駆動し、換気装置が停止しているときにダンパを閉じるように駆動するものであってもよい。
この構成によれば、例えば、換気ファンモータの運転開始に連動してダンパモータを駆動させ、換気ファンモータの運転終了に連動してダンパモータを停止させるようにすることができる。給気通路の開閉を適切に、且つ確実に行なうことができ、換気効率や暖房効率を維持することができる。
【００１１】
【発明の実施の形態】以下、本発明の好適な実施形態を説明する。
（形態１）　排気通路と給気通路との位置関係は特に限定されない。例えば、給気通路を上側に設け、排気通路を下側に設けるようにしてもよいし、その逆でもよい。あるいは、給気通路と排気通路とを左右に並設してもよい。即ち、設置現場の状況に合わせて最適な換気効率を得られる位置関係を選択することができる。
【００１２】
【実施例】本発明を具現化した第１実施例を図１と図２を用いて説明する。図１は本実施例の浴室乾燥暖房機の側断面図であり、図２は同浴室乾燥暖房機の浴室外側部分の分解斜視図である。
図１では、浴室の壁１６に対し、図中右側が浴室内であり、図中左側が浴室外である。この壁１６にこれを貫通する穴１６ａが設けられている。図１に示すように、本実施例の浴室乾燥暖房機１０は、この穴１６ａの浴室内側の開口を覆うように設置される暖房装置１２と、浴室外側の開口を覆うように設置される換気装置１４を備えている。
【００１３】
まず、暖房装置１２について説明する。暖房装置１２は温水式暖房装置であり、図示は省略するが、暖房装置１２内に熱交換器と暖房用ファンを備えている。暖房用ファンが運転すると、暖房装置１２内に浴室内の空気が吸気される。熱交換器には給湯器から配管を通じて熱媒である温水が循環している。吸気された浴室内の空気が熱交換器によって加熱される。加熱された空気が温風となって暖房用ファンによって浴室内に吹出される。以上の動作によって暖房運転が行なわれる。
【００１４】
次に、浴室内の換気を行なうための換気口について説明する。浴室内の暖房装置１２の背面１２ａとその後方の壁面１６ｂとの間には隙間１８が形成されている。壁１６には穴１６ａが設けられており、この穴１６ａの浴室内側と浴室外側の２つの開口部の周縁には開口部材３０ａ，３０ｂが取付けられ、穴１６ａの内部にはパイプ３２が挿入されて換気口３４が形成されている。この換気口３４には内部を上側と下側に仕切る仕切り板２０が形成されている。また、浴室内側の開口部材３０ａにも内部を上側と下側に仕切るゴムブッシング２２が配設されている。このゴムブッシング２２は仕切り板２０に連続するように配設されている。ゴムブッシング２２の端部は暖房装置１２の背面１２ａに当接している。即ち、暖房装置１２の後方には、仕切り板２０とゴムブッシング２２によって上下に隔てられた２本の通路が形成されている。
【００１５】
換気装置１４について図１、図２を用いて説明する。図１に示すように、換気装置１４は、換気ファン２４と、この換気ファン２４を駆動する換気ファンモータ２６を備えており、風雨を凌ぐためのケーシング３６によって覆われている。換気装置１４は、換気口３４内に形成された上下２本の通路の浴室外側の開口を覆って配設され、特に、換気ファン２４が下側の通路の浴室外側の端部に位置するように配設される。この換気ファン２４を有する下側の通路が浴室内の空気を排気するための排気通路２８となる。図２に示すように、この排気通路２８は換気装置１４に設けられた排気口３８を経てケーシング３６に設けられた排気口４０から浴室外へ開口している。
【００１６】
また、図１に示すように、換気口３４の２本の通路のうち、上側の通路にはダンパ４２が設けられている。このダンパ４２は上部に回動軸を有しており、下部は固定されておらず、浴室内側に回動するように取付けられている。なお、破線は開放時のダンパ４２の状態を示している。ダンパ４２は、平常時には自重によって鉛直な状態となって通路を閉じ、下部が浴室内側に回動することによって通路を開く。このダンパ４２を有する上側の通路が浴室内に空気を給気するための給気通路４４となる。図２に示すように、上側の通路は換気装置１４に設けられた給気口４６を経てケーシングに設けられた給気口４８から浴室外へ開口している。
【００１７】
換気装置１４を運転させたときの空気の流れについて説明する。換気ファン２４が換気ファンモータ２６によって駆動されると、浴室内の空気は、暖房装置１２の背面１２ａと後方の壁面１６ｂとの間の隙間１８へ導入される。この導入された空気はゴムブッシング２２より下側の下部隙間１８ａを経て排気通路２８へ導入される。この空気は換気装置１４の排気口３８を経てケーシング３６の排気口４０から浴室外へ排気される。
給気口が設けられていない浴室の場合、換気装置１４を継続的に運転させると、やがて浴室内が負圧となる。この負圧によって、給気通路４４に配設されているダンパ４２の下部が浴室内側に引かれて回動し、閉じられていた給気通路４４が開通する。給気通路４４が開通すると、浴室外の空気がケーシング３６の給気口４８から換気装置１４の給気口４６を経て給気通路４４へ導入される。この導入された空気はゴムブッシング２２より上側の上部隙間１８ｂを経て浴室内へ給気される。浴室内の負圧が解消されるまで、この給気が行なわれる。
換気装置１４を運転停止させると、浴室内の空気の排気が停止する。これによって、給気通路のダンパ４２を浴室内側へ引く力が解消され、ダンパ４２が自重によって閉じるため、浴室内への給気が終了する。
【００１８】
本実施例の浴室乾燥暖房機１０によれば、換気装置１４の運転時に浴室内が負圧となると、給気通路４４に設けられたダンパ４２が開いて浴室外の空気が給気されて負圧が解消される。従って、換気装置１４の運転時には、排気に見合った給気を得ることができるため、換気効率を維持することができる。
また、暖房運転中で換気装置１４の運転停止時には、ダンパ４２が自重によって閉じることから、暖房運転で暖められた浴室内の空気が給気通路４４から浴室外に漏れ出ないため、暖房運転の効率を維持することができる。
排気通路２８と給気通路４４を仕切る仕切り板２０の浴室内側の端部に配設されているゴムブッシング２２が暖房装置１２の背面１２ａに当接している。このことから、給気通路４４から給気された浴室外の空気が直ちに排気通路２８へ導入されて排気されることや、あるいは、排気されるべく暖房装置の後方に導入された浴室内の空気が、給気通路４４から給気された浴室外の空気とともに再び浴室内へ戻されてしまうことを防止することができるため、浴室内の空気を積極的に排気することができる。
【００１９】
なお、本実施例では、給気通路４４に設けられるダンパ４２は換気口３４を形成するパイプ３２の中程に取付けられていたが、ダンパ４２の取付け位置についてはこれに限らない。浴室内が負圧となったときに速やかに反応して浴室内側に開くことができれば、例えば、図３に示すように、浴室外側の開口部材３０ｂに取付けられていても構わない。なお、破線は開放時のダンパ４２の状態を示している。
【００２０】
本発明を具現化した第２実施例を図４を用いて説明する。なお、本実施例の浴室乾燥暖房機は第１実施例で示した浴室乾燥暖房機と基本動作や形状はほぼ同様であるが、本発明の特徴である給気通路の構成が異なっている。従って、ここでは主に第１実施例と相違する特徴的な部分について説明し、同様な部分については説明を省略する。また、第１実施例と同様な部分については共通の符号を用いる。
本実施例の浴室乾燥暖房機１００の暖房装置１２と換気装置１４の構成と動作については第１実施例の浴室乾燥暖房機１０と同様である。本実施例の浴室乾燥暖房機１００では、給気通路４４に配設されているダンパ１４２はダンパモータ１５０によって開閉駆動される。このダンパモータ１５０は換気装置１４の運転に連動して駆動する。即ち、図示しない制御装置によって、換気装置１４が運転を開始するとダンパモータ１５０がダンパ１４２を開き、換気装置１４が運転を停止するとダンパモータ１５０がダンパ１４２を閉じるように制御されている。なお、破線は開放時のダンパ１４２の状態を示している。
【００２１】
換気装置１４を運転させたときの空気の流れについて説明する。換気ファン２４が換気ファンモータ２６によって駆動されると、浴室内の空気は暖房装置１２の後方の下部隙間１８ａを経て排気通路２８へ導入され、換気装置１４の排気口３８を経てケーシング３６の排気口４０から浴室外へ排気される。
また、換気ファン２４が駆動されると同時にダンパ１４２がダンパモータ１５０によって開かれる。これによって、閉じられていた給気通路４４が開通し、浴室外の空気はケーシング３６の給気口４８から換気装置１４の給気口４６を経て給気通路４４へ導入され、上部隙間１８ｂを経て浴室内へ給気される。即ち、換気ファン２４が駆動しているときには給気通路４４は開放されており、排気に見合った給気が行なわれる。
換気装置１４を運転停止させると、浴室内の空気の排気が停止する。これと同時にダンパ１４２がダンパモータ１５０によって閉じられる。これによって、開いていた給気通路４４が閉じられ、浴室内への給気が終了する。
【００２２】
本実施例の浴室乾燥暖房機１００によれば、換気ファンモータ２６の運転開始に連動してダンパモータ１５０を駆動させ、換気ファンモータ２６の運転終了に連動してダンパモータ１５０を停止させるようにすることができる。これによって、給気通路４４に設けられたダンパ１４２の開閉を強制的に行なうことができるため、給気通路４４の開閉を適切に、且つ確実に行なうことができ、換気効率や暖房効率を維持することができる。
【００２３】
以上に述べたように、本発明の浴室乾燥暖房機は、換気用の通路として、排気通路とともに給気通路を備えている。この構成によれば、給気する必要があるときにだけ浴室外から給気が行なわれ、給気する必要のないときには給気は行なわれない。たとえ浴室に給気口が配設されていなくても、この給気通路から排気に見合った給気を充分に得ることができる。これによって、換気運転や乾燥運転において換気装置を継続的に運転させても換気効率を維持することができる。また、給気通路にダンパを配設することによって、換気装置を運転させない暖房運転時においては暖気を漏らすことなく暖房効率を維持することができる。
【００２４】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【図１】第１実施例の浴室乾燥暖房機の側断面図。
【図２】第１実施例の浴室乾燥暖房機の浴室外側部分の分解斜視図。
【図３】第１実施例の変形例の浴室乾燥暖房機の側断面図。
【図４】第２実施例の浴室乾燥暖房機の側断面図。
【符号の説明】
１０：浴室乾燥暖房機
１２：暖房装置、１２ａ：背面
１４：換気装置
１６：浴室壁、１６ａ：穴、１６ｂ：壁面
１８：隙間、１８ａ：下部隙間、１８ｂ：上部隙間
２０：仕切り板
２２：ゴムブッシング
２４：換気ファン
２６：換気ファンモータ
２８：排気通路
３０ａ，３０ｂ：開口部材
３２：パイプ
３４：換気口
３６：ケーシング
３８：排気口
４０：排気口
４２：ダンパ
４４：給気通路
４６：給気口
４８：給気口
１００：浴室乾燥暖房機
１４２：ダンパ
１５０：ダンパモータ
【図１】
2004144322.tif 000003
【図２】
2004144322.tif 000004
【図３】
2004144322.tif 000005
【図４】
2004144322.tif 000006